(57)【特許請求の範囲】
【請求項１】
光データ送信機を制御するシステムであって、
レーザダイオードに駆動電流を供給するように構成された電流駆動回路と、
フォトダイオード、該フォトダイオードに結合された第１のトランスインピーダンス増幅器、及び該第１のトランスインピーダンス増幅器の構造と実質的に同一であるように構成された第２のトランスインピーダンス増幅器を備えたモニター回路と、
前記第１のトランスインピーダンス増幅器及び前記第２のトランスインピーダンス増幅器の出力の少なくとも１つの特性を比較し、該比較に基づいて少なくとも１つの制御信号を生成して前記電流駆動回路を制御するように構成された制御回路と、
を備え、
前記モニター回路は、前記レーザダイオードの光強度に関連する出力電流を提供するように構成されており、
前記制御回路は、基準電流発生器を備えており、該基準電流発生器が、
定電流源と、
基準電流を生成するように構成され、大きさの比率が一定である少なくとも２つの電流を生成するように構成されており、前記電流のうちの少なくとも１つが前記第２のトランスインピーダンス増幅器に結合され、出力が前記電流駆動回路を制御するために前記制御回路によって使用される、電圧制御電流源と、
直列接続された複数の抵抗器の各々が単位抵抗器であり、直列接続された前記複数の抵抗器の一方端が第１の基準電圧に結合されるように構成された、直列接続された第１の複数の抵抗器と、
複数のスイッチのうちの少なくとも１つのスイッチが直列接続された前記第１の複数の抵抗器のうちの１つと結合されるように構成され、前記定電流源及び前記電圧制御電流源の第１の制御入力端子を直列接続された前記第１の複数の抵抗器のうちの同じ抵抗器に結合するように構成された、第１の複数のスイッチと、
直列接続された複数の抵抗器の各々が単位抵抗器であり、その抵抗が直列接続された前記第１の複数の抵抗器の前記単位抵抗器の抵抗と実質的に同じであり、直列接続された前記複数の抵抗器の一方端が前記基準電圧に結合されるように構成された、直列接続された第２の複数の抵抗器と、
複数のスイッチのうちの少なくとも１つのスイッチが直列接続された前記第２の複数の抵抗器のうちの１つと結合されるように構成され、前記電圧制御電流源からの第１の電流及び前記電圧制御電流源の第２の制御入力端子を直列接続された前記第２の複数の抵抗器のうちの同じ抵抗器に結合するように構成された、第２の複数のスイッチと、
入力に基づいて前記第１の複数のスイッチ及び前記第２の複数のスイッチを制御し、それにより前記定電流源の電流と、前記電圧制御電流源の電流のうちの少なくとも１つとの間の比率を制御するように構成されたルックアップテーブルと、
を備える、システム。
【請求項２】
前記第１の複数のスイッチは、直列接続された前記第１の複数の抵抗器を前記定電流源に結合するように構成された第１のスイッチアレイと、直列接続された前記第１の複数の抵抗器を前記電圧制御電流源の第１の制御入力端子に結合するように構成された第２のスイッチアレイとを備え、前記ルックアップテーブルは、直列接続された前記第１の複数の抵抗器のうちの１つが前記第１のスイッチアレイから選択された１つのスイッチを介して前記定電流源に結合され、前記第２のスイッチアレイから選択された１つのスイッチを介して前記電圧制御電流源の前記第１の制御入力端子に結合されるよう、前記第１のスイッチアレイから１つのスイッチ、及び前記第２のスイッチアレイから１つのスイッチを選択するように構成される、請求項１に記載のシステム。
【請求項３】
前記第２の複数のスイッチは、直列接続された前記第２の複数の抵抗器を前記電圧制御電流源の前記第２の制御入力端子に結合するように構成された第３のスイッチアレイと、直列接続された前記第２の複数の抵抗器を前記電圧制御電流源からの前記電流に結合するように構成された第４のスイッチアレイとを備え、前記ルックアップテーブルは、直列接続された前記第２の複数の抵抗器のうちの１つが前記第３のスイッチアレイから選択された１つのスイッチを介して前記電圧制御電流源の前記第２の制御入力端子に結合され、前記第４のスイッチアレイから選択された１つのスイッチを介して前記電圧制御電流源からの前記電流に結合されるよう、前記第３のスイッチアレイから１つのスイッチ、及び前記第４のスイッチアレイから１つのスイッチを選択するように構成される、請求項２に記載のシステム。
【請求項４】
前記電圧制御電流源は、
前記第１の複数のスイッチによって前記第１の複数の抵抗器に選択的に結合される第１の制御入力、及び前記第２の複数のスイッチによって前記第２の複数の抵抗器に選択的に結合される第２の入力を備える増幅器と、
ゲート端子が前記増幅器の出力に結合されるように構成される、少なくとも１つのＭＯＳトランジスタと、
を備える、請求項１記載のシステム。
【請求項５】
前記電圧制御電流源は、少なくとも１つの前記ＭＯＳトランジスタとカスコード構造で配置された少なくとも１つの他のＭＯＳトランジスタをさらに備える、請求項４に記載のシステム。
【請求項６】
前記ルックアップテーブルは、前記定電流源の電流と、前記レーザダイオードの変調度及び消光比のうち少なくともいずれか一方に基づく前記電圧制御電流源の電流のうちの少なくとも１つとの間の比率を決める入力に基づいて、前記第１の複数のスイッチ及び前記第２の複数のスイッチを制御するように構成される、請求項１記載のシステム。
【請求項７】
前記第１の複数のスイッチ及び前記第２の複数のスイッチを制御するように構成された前記ルックアップテーブルは、
前記第１の複数の抵抗器の第１の数及び前記第２の複数の抵抗器の第２の数で可能な全ての整数除算比率を探索し、
個々の比率を所望の値と比較し、
前記第１の複数のスイッチ及び前記第２の複数のスイッチを制御するための選択として、最小の誤差を有する整数比率を前記所望の値から選択する、
ことによって生成される、請求項１記載のシステム。
【請求項８】
前記第１の複数のスイッチ及び前記第２の複数のスイッチを制御するように構成された前記ルックアップテーブルは、さらに、
前記最小の誤差を提供する少なくとも２つの整数除算比率を検出し、
実現することができる単位値抵抗器の最大公倍数を有する少なくとも２つの前記整数除算比率から１つの整数除算比率を選択する、
ことによって生成される、請求項７に記載のシステム。
【請求項９】
前記第１の複数の抵抗器及び前記第２の複数の抵抗器の各抵抗器が、前記システムを備える集積回路内に同じ物理的サイズを有する、請求項１記載のシステム。
【請求項１０】
光データ送信機を制御するための方法であって、
レーザダイオードに駆動電流を供給するステップと、
前記レーザダイオードの光強度に関連する出力電流を提供するステップと、
前記出力電流に結合された第１のトランスインピーダンス増幅器を結合するステップと、
前記第１のトランスインピーダンス増幅器の構造と実質的に同じ構造となるように構成された第２のトランスインピーダンス増幅器を提供するステップと、
基準電流を生成するステップであって、
定電流源を提供し、
前記基準電流を生成するように構成されると共に、大きさの比率が一定である少なくとも２つの電流を生成するように構成され、前記電流のうちの少なくとも１つが前記第２のトランスインピーダンス増幅器に結合され、出力が前記駆動電流を制御するために使用される電圧制御電流源を提供し、
直列接続された複数の抵抗器の各々が単位抵抗器であり、直列接続された前記複数の抵抗器の一方端が第１の基準電圧に結合された、直列接続された第１の複数の抵抗器を提供し、
複数のスイッチのうちの少なくとも１つのスイッチが直列接続された前記第１の複数の抵抗器のうちの１つと結合されると共に、前記定電流源及び前記電圧制御電流源の第１の制御入力端子を直列接続された前記第１の複数の抵抗器のうちの同じ抵抗器に結合し得る、第１の複数のスイッチを提供し、
直列接続された複数の抵抗器の各々が単位抵抗器であり、その抵抗が直列接続された前記第１の複数の抵抗器の前記単位抵抗器の抵抗と実質的に同じであり、直列接続された前記複数の抵抗器の一方端が前記基準電圧に結合された直列接続された第２の複数の抵抗器を提供し、
複数のスイッチのうちの少なくとも１つのスイッチが直列接続された前記第２の複数の抵抗器のうちの１つと結合され、前記電圧制御電流源からの第１の電流及び前記電圧制御電流源の第２の制御入力端子を直列接続された第２の複数の抵抗器のうちの同じ抵抗器に結合し得る、第２の複数のスイッチを提供し、
入力に基づくルックアップテーブルを提供することによって前記第１の複数のスイッチ及び前記第２の複数のスイッチを制御して、前記定電流源の電流と、前記電圧制御電流源の少なくとも２つの電流のうちの少なくとも１つとの間の比率を制御する、
ことによって前記基準電流を生成するステップと、
前記基準電流と、前記第１のトランスインピーダンス増幅器及び前記第２のトランスインピーダンス増幅器の出力の少なくとも１つの特性とを比較して前記駆動電流を制御するステップと、
を含む方法。
【請求項１１】
前記第１の複数のスイッチを提供することは、
直列接続された前記第１の複数の抵抗器を前記定電流源に結合する第１のスイッチアレイを提供することと、
直列接続された前記第１の複数の抵抗器を前記電圧制御電流源の前記第１の制御入力端子に結合する第２のスイッチアレイを提供することと、
を含み、
前記第１の複数のスイッチ及び前記第２の複数のスイッチを制御することは、
直列接続された前記第１の複数の抵抗器のうちの１つが前記第１のスイッチアレイから選択された１つのスイッチを介して前記定電流源に結合され、前記第２のスイッチアレイから選択された１つのスイッチを介して前記電圧制御電流源の前記第１の制御入力端子に結合されるよう、前記第１のスイッチアレイから１つのスイッチ、及び前記第２のスイッチアレイから１つスイッチを選択すること、
を含む、請求項１０に記載の方法。
【請求項１２】
前記第２の複数のスイッチを提供することは、
直列接続された前記第２の複数の抵抗器を前記電圧制御電流源の第２の制御入力端子に結合する第３のスイッチアレイを提供することと、
直列接続された前記第２の複数の抵抗器を前記電圧制御電流源からの第１の電流に結合する第４のスイッチアレイを提供することと、
を含み、
前記駆動電流を制御することは、直列接続された前記第２の複数の抵抗器のうちの１つが前記第３のスイッチアレイから選択された１つのスイッチを介して前記電圧制御電流源の前記第２の制御入力端子に結合され、前記第４のスイッチアレイから選択された１つのスイッチを介して前記電圧制御電流源からの前記第１の電流に結合されるよう、前記第３のスイッチアレイから１つのスイッチ、及び前記第４のスイッチアレイから１つのスイッチを選択することをさらに含む、請求項１１に記載の方法。
【請求項１３】
前記電圧制御電流源を提供することは、
前記第１の複数のスイッチによって前記第１の複数の抵抗器に選択的に結合される前記第１の制御入力と、
前記第２の複数のスイッチによって前記第２の複数の抵抗器に選択的に結合される前記第２の制御入力と、
を備える増幅器を提供することと、
ゲート端子が前記増幅器の出力に結合される、少なくとも１つのＭＯＳトランジスタを提供することと、
を含む、請求項１０記載の方法。
【請求項１４】
前記電圧制御電流源を提供することは、少なくとも１つの前記ＭＯＳトランジスタとカスコード構造で配置された少なくとも１つの他のＭＯＳトランジスタを提供すること、をさらに含む、請求項１３に記載の方法。
【請求項１５】
前記第１の複数のスイッチ及び前記第２の複数のスイッチを制御することは、前記定電流源の電流と、前記レーザダイオードの変調度及び消光比のうち少なくともいずれか一方に基づく前記電圧制御電流源の電流のうちの少なくとも１つとの間の比率を定義する入力に基づいて、前記第１の複数のスイッチ及び前記第２の複数のスイッチを制御することを含む、請求項１０記載の方法。
【請求項１６】
前記第１の複数のスイッチ及び前記第２の複数のスイッチを制御する前記ルックアップテーブルを生成することは、
前記第１の複数の抵抗器の第１の数及び前記第２の複数の抵抗器の第２の数で可能な全ての整数除算比率を探索することと、
個々の比率を所望の値と比較することと、
前記第１の複数のスイッチ及び前記第２の複数のスイッチを制御するための選択として、最小の誤差を有する整数比率を前記所望の値から選択することと、
によって、前記ルックアップテーブルを生成することをさらに含む、請求項１０記載の方法。
【請求項１７】
前記第１の複数のスイッチ及び前記第２の複数のスイッチを制御する前記ルックアップテーブルを生成することは、
前記最小の誤差を提供する少なくとも２つの整数除算比率を検出することと、
実現することができる単位値抵抗器の最大公倍数を有する少なくとも２つの前記整数除算比率から１つの整数除算比率を選択することと、
をさらに含む、請求項１６に記載の方法。
【請求項１８】
前記第１の複数の抵抗器及び前記第２の複数の抵抗器の各抵抗器を同じ物理的サイズとして集積回路内に提供することをさらに含む、請求項１０記載の方法。
【発明の詳細な説明】
【背景技術】
【０００１】
光ファイバ通信システムでは、送信レーザ装置によって生成される光の変調度を制御できることが望ましい。状態間の高速切換えを維持し、かつ、雑音を低減するために、送信レーザは何らかの定義済み出力に切り換えられずにスイッチオフされるが、ロー状態の場合、送信レーザ装置の出力はローレベルに低減される。上記変調度は、消光比（ＥＲ）とも呼ばれ、この消光比（ＥＲ）は、データ「１」が存在している場合の光強度と、データ「０」が存在している場合の光強度の比率である。しかしながら、これらのハイ及びローの光出力を送出するためにレーザに要求される電流は一定ではなく、実際には、個々のレーザ装置間の公差の影響を受けると共に、加熱及び経年劣化による単一のレーザ装置の特性変化により、経時的に影響を受ける。使用中にデバイスが熱くなるため、このような変化は通常の動作においても生じ得る。
【０００２】
したがって、レーザ自体の製造公差及びパラメータ変動を自動的に補償することができるだけでなく、データパターンが限られた低周波数成分のみを含むランダムな特性を有する何らかの定義済み目標変調レベルに到達できることも望まれる。
【０００３】
レーザ出力に閉ループ制御を提供する方法の１つは、入ってくる変調データストリームを取得し、この変調データストリームを使用して基準電流を制御し、かつ、組み合わされた電流を複製トランスインピーダンス増幅器（ＴＩＡ）及び関連する回路に引き渡すことによってモニターフォトダイオード出力電流の複製を生成することである。モニター経路信号及び複製経路信号を適切に信号処理した後、何らかの方法でこれらの２つの信号を比較することができ、また、誤差情報を生成して、平均光電力及び消光比の閉ループ制御を容易にすることができる。
【０００４】
複製経路を使用してこのような閉ループ制御システムを構築するためには、送信レーザから出力される光電力を検知する理想的なフォトダイオードからの電流と等価な電流信号を生成することができなければならない。この電流信号は、理想的な光電流と同じ平均値を有するだけでなく、同じ変調度又は消光比（ＥＲ）を有していなければならない。したがって、理想的な光電流の上記複製を任意の所望のＥＲ値で提供するために、切り換えることができ、組み合わせることができる電流を生成することが必要である。解析によれば、このために必要な電流値は、任意の便利な入力変数と線形関係にないことを示している。ほとんどの場合、ユーザは、デシベルの形で目標ＥＲレベルを設定し、上記ＥＲをデシベルのステップで変更することができることを希望するものと思われる。
【発明の概要】
【発明が解決しようとする課題】
【０００５】
いくつかの実施形態の目的は、要求されたＥＲを表す変数と電流との関係が特に便利な方法で、かつ、上記電流の生成における誤差の最小化に注意して達成される、そのような制御システムに適した電流を提供することである。
【課題を解決するための手段】
【０００６】
第１の態様によれば、光データ送信機を制御するシステムであって、レーザダイオードに駆動電流を供給するように構成された電流駆動回路と、フォトダイオード、該フォトダイオードに結合された第１のトランスインピーダンス増幅器、及び該第１のトランスインピーダンス増幅器の構造と実質的に同一であるように構成された第２のトランスインピーダンス増幅器を備えたモニター回路と、前記第１のトランスインピーダンス増幅器及び前記第２のトランスインピーダンス増幅器の出力の少なくとも１つの特性を比較し、該比較に基づいて少なくとも１つの制御信号を生成して前記電流駆動回路を制御するように構成された制御回路と、を備え、前記モニター回路は、前記レーザダイオードの光強度に関連する出力電流を提供するように構成されており、前記制御回路は、基準電流発生器を備えており、該基準電流発生器が、定電流源と、基準電流を生成するように構成され、大きさの比率が一定である少なくとも２つの出力電流を生成するように構成されており、前記出力電流のうちの少なくとも１つが前記電流駆動回路を制御するために前記制御回路によって使用される電圧制御電流源と、直列接続された複数の抵抗器の各々が単位抵抗器であり、直列接続された前記複数の抵抗器の一方端が第１の基準電圧に結合するように構成された、直列接続された第１の複数の抵抗器と、複数のスイッチのうちの少なくとも１つのスイッチが直列接続された前記第１の複数の抵抗器のうちの１つと結合するように構成され、前記定電流源及び電圧制御電流源の第１の制御入力端子を直列接続された前記第１の複数の抵抗器のうちの同じ抵抗器に結合するように構成された、第１の複数のスイッチと、直列接続された複数の抵抗器の各々が単位抵抗器であり、その抵抗が直列接続された前記第１の複数の抵抗器の単位抵抗器の抵抗と実質的に同じであり、直列接続された前記複数の抵抗器の一方端が前記基準電圧に結合するように構成された、第２の複数の抵抗器と、複数のスイッチのうちの少なくとも１つのスイッチが直列接続された前記第２の複数の抵抗器のうちの１つと結合するように構成され、前記電圧制御電流源からの第１の出力電流及び前記電圧制御電流源の第２の制御入力端子を直列接続された前記第２の複数の抵抗器のうちの同じ抵抗器に結合するように構成された、第２の複数のスイッチと、入力に基づいて前記第１の複数のスイッチ及び第２の複数のスイッチを制御し、それにより前記定電流源の電流と、前記電圧制御電流源の出力電流のうちの少なくとも１つとの間の比率を制御するように構成されたルックアップテーブルと、を備える。
【０００７】
前記第１の複数のスイッチは、直列接続された前記第１の複数の抵抗器を前記定電流源に結合するように構成された第１のスイッチアレイと、直列接続された前記第１の複数の抵抗器を前記電圧制御電流源の第１の制御入力端子に結合するように構成された第２のスイッチアレイとを備え、前記ルックアップテーブルは、直列接続された前記第１の複数の抵抗器のうちの１つが前記第１のスイッチアレイから選択された１つのスイッチを介して前記定電流源に結合され、前記第２のスイッチアレイから選択された１つのスイッチを介して前記電圧制御電流源の前記第１の制御入力端子に結合されるよう、前記第１のスイッチアレイから１つのスイッチ、及び第２のスイッチアレイから１つのスイッチを選択するように構成される。
【０００８】
前記第２の複数のスイッチは、直列接続された前記第２の複数の抵抗器を前記電圧制御電流源の前記第２の制御入力端子に結合するように構成された第３のスイッチアレイと、直列接続された前記第２の複数の抵抗器を前記電圧制御電流源からの前記出力電流に結合するように構成された第４のスイッチアレイとを備え、前記ルックアップテーブルは、直列接続された前記第２の複数の抵抗器のうちの１つが前記第３のスイッチアレイから選択された１つのスイッチを介して前記電圧制御電流源の前記第２の制御入力端子に結合され、前記第４のスイッチアレイから選択された１つのスイッチを介して前記電圧制御電流源からの前記出力電流に結合されるよう、前記第３のスイッチアレイから１つのスイッチ、及び前記第４のスイッチアレイから１つのスイッチを選択するように構成される。
【０００９】
前記電圧制御電流源は、前記第１の複数のスイッチによって前記第１の複数の抵抗器に選択的に結合される第１の制御入力、及び前記第２の複数のスイッチによって前記第２の複数の抵抗器に選択的に結合される第２の入力を備える増幅器と、ゲート端子が前記増幅器の出力に結合されるように構成される、少なくとも１つのＭＯＳトランジスタとを備えることができる。
【００１０】
前記電圧制御電流源は、少なくとも１つの前記ＭＯＳトランジスタとカスコード構造で配置された少なくとも１つの他のＭＯＳトランジスタをさらに備えることができる。
【００１１】
前記ルックアップテーブルは、前記定電流源の電流と、前記レーザダイオードの変調度及び／又は消光比に基づく前記電圧制御電流源の出力電流のうちの少なくとも１つとの間の比率を決める入力に基づいて、前記第１の複数のスイッチ及び前記第２の複数のスイッチを制御するように構成することができる。
【００１２】
前記第１の複数のスイッチ及び前記第２の複数のスイッチを制御するように構成された前記ルックアップテーブルは、前記第１の複数の抵抗器の第１の数及び前記第２の複数の抵抗器の第２の数で可能な全ての整数除算比率を探索し、個々の比率を所望の値と比較し、前記第１の複数のスイッチ及び前記第２の複数のスイッチを制御するための選択として、最小の誤差を有する整数比率を前記所望の値から選択する、ことによって生成することができる。
【００１３】
前記第１の複数のスイッチ及び前記第２の複数のスイッチを制御するように構成された前記ルックアップテーブルは、さらに、前記最小の誤差を提供する少なくとも２つの整数除算比率を検出し、実現することができる単位値抵抗器の最大公倍数を有する少なくとも２つの前記整数除算比率から１つの整数除算比率を選択する、ことによって生成することができる。
【００１４】
前記第１の複数の抵抗器及び前記第２の複数の抵抗器の各抵抗器は、前記システムを構成する集積回路内に同じ物理的サイズを有する、ことができる。
【００１５】
第２の態様によれば、光データ送信機を制御するための方法が提供される。この方法は、レーザダイオードに駆動電流を供給するステップと、前記レーザダイオードの光強度に関連する出力電流を提供するステップと、前記出力電流に結合された第１のトランスインピーダンス増幅器を結合するステップと、前記第１のトランスインピーダンス増幅器の構造と実質的に同じ構造となるように構成された第２のトランスインピーダンス増幅器を提供するステップと、基準電流を生成するステップであって、定電流源を提供し、前記基準電流を生成するように構成されると共に、大きさの比率が一定である少なくとも２つの電流を生成するように構成され、前記電流のうちの少なくとも１つが前記第２のトランスインピーダンス増幅器に結合され、その出力が前記駆動電流を制御するために使用される電圧制御電流源を提供し、直列接続された複数の抵抗器の各々が単位抵抗器であり、直列接続された前記複数の抵抗器の一方端が第１の基準電圧に結合された、直列接続された第１の複数の抵抗器を提供し、複数のスイッチのうちの少なくとも１つのスイッチが直列接続された前記第１の複数の抵抗器のうちの１つと結合されると共に、前記定電流源及び前記電圧制御電流源の第１の制御入力端子を直列接続された前記第１の複数の抵抗器の同じ抵抗器に結合し得る、第１の複数のスイッチを提供し、直列接続された複数の抵抗器の各々が単位抵抗器であり、その抵抗が直列接続された前記第１の複数の抵抗器の単位抵抗器の抵抗と実質的に同じであり、直列接続された前記複数の抵抗器の一方端が前記基準電圧に結合された、直列接続された第２の複数の抵抗器を提供し、複数のスイッチのうちの少なくとも１つのスイッチが直列接続された前記第２の複数の抵抗器のうちの１つと結合され、前記電圧制御電流源からの第１の出力電流及び前記電圧制御電流源の第２の制御入力端子を直列接続された前記第２の複数の抵抗器のうちの同じ抵抗器に結合し得る、第２の複数のスイッチを提供し、入力に基づくルックアップテーブルを提供することによって前記第１の複数のスイッチ及び前記第２の複数のスイッチを制御して、前記定電流源の電流と、前記電圧制御電流源の出力電流のうちの少なくとも１つとの間の比率を制御する、ことによって前記基準電流を生成するステップと、前記第１のトランスインピーダンス増幅器及び前記第２のトランスインピーダンス増幅器の出力の少なくとも１つの特性と前記基準電流とを比較して前記駆動電流を制御するステップと、を含む。
【００１６】
前記第１の複数のスイッチを提供することは、直列接続された前記第１の複数の抵抗器を前記定電流源に結合する第１のスイッチアレイを提供することと、直列接続された前記第１の複数の抵抗器を前記電圧制御電流源の前記第１の制御入力端子に結合する第２のスイッチアレイを提供することと、を含むことができる。また、前記第１の複数のスイッチ及び前記第２の複数のスイッチを制御することは、直列接続された前記第１の複数の抵抗器のうちの１つが前記第１のスイッチアレイから選択された１つのスイッチを介して前記定電流源に結合され、前記第２のスイッチアレイから選択された１つのスイッチを介して前記電圧制御電流源の前記第１の制御入力端子に結合されるように、前記第１のスイッチアレイから１つのスイッチ、及び前記第２のスイッチアレイから１つのスイッチを選択することを含む。
【００１７】
前記第２の複数のスイッチを提供することは、直列接続された前記第２の複数の抵抗器を前記電圧制御電流源の第２の制御入力端子に結合する第３のスイッチアレイを提供することと、直列接続された前記第２の複数の抵抗器を前記電圧制御電流源からの第１の出力電流に結合する第４のスイッチアレイを提供することと、を含む。また、前記駆動電流を制御することは、直列接続された前記第２の複数の抵抗器のうちの１つが前記第３のスイッチアレイから選択された１つのスイッチを介して前記電圧制御電流源の前記第２の制御入力端子に結合され、前記第４のスイッチアレイから選択された１つのスイッチを介して前記電圧制御電流源からの前記第１の出力電流に結合されるように、前記第３のスイッチアレイから１つのスイッチ、及び前記第４のスイッチアレイから１つのスイッチを選択することをさらに含む。
【００１８】
前記電圧制御電流源を提供することは、前記第１の複数のスイッチによって前記第１の複数の抵抗器に選択的に結合される前記第１の制御入力、及び前記第２の複数のスイッチによって前記第２の複数の抵抗器に選択的に結合される前記第２の制御入力を備える増幅器を提供することと、ゲート端子が前記増幅器の出力に結合される少なくとも１つのＭＯＳトランジスタを提供することと、を含むことができる。
【００１９】
前記電圧制御電流源を提供することは、少なくとも１つの前記ＭＯＳトランジスタとカスコード構造で配置された少なくとも１つの他のＭＯＳトランジスタを提供することをさらに含むことができる。
【００２０】
前記第１の複数のスイッチ及び前記第２の複数のスイッチを制御することは、前記定電流源電流と、前記レーザダイオードの変調度及び／又は消光比に基づく前記電圧制御電流源の出力電流のうちの少なくとも１つとの間の比率を決める入力に基づいて、前記第１の複数のスイッチ及び前記第２の複数のスイッチを制御することを含むことができる。
【００２１】
本発明の方法は、前記第１の複数の抵抗器の第１の数及び前記第２の複数の抵抗器の第２の数で可能な全ての整数除算比率を探索し、個々の比率を所望の値と比較し、前記第１の複数のスイッチ及び前記第２の複数のスイッチを制御するための選択として、最小の誤差を有する整数比率を前記所望の値から選択することによって、前記第１の複数のスイッチ及び前記第２の複数のスイッチを制御するルックアップテーブルを生成することをさらに含むことができる。
【００２２】
第１の複数のスイッチ及び第２の複数のスイッチを制御するためのルックアップテーブルを生成することは、最小の誤差を提供する少なくとも２つの整数除算比率を検出することと、実現することができる単位値抵抗器の最大公倍数を有する少なくとも２つの前記整数除算比率から１つの整数除算比率を選択することと、をさらに含むことができる。
【００２３】
方法は、第１の複数の抵抗器及び第２の複数の抵抗器の各抵抗器を同じ物理的サイズとして集積回路内に提供することをさらに含むことができる。
【００３３】
以下、いくつかの実施形態について、単なる一例として、添付の図面を参照して説明する。
【図面の簡単な説明】
【００３４】
【図１】典型的なレーザ特性対温度を示すグラフである。
【図２】例示的光送信機及びモニターチャネルアーキテクチャを示す図である。
【図３】レーザ出力の閉ループ制御を提供するためのモニターチャネルの複製を含む光送信機のためのアーキテクチャを示す図である。
【図４】理想フォトダイオードからの電流を複製することが意図された電流源及びスイッチの構成を示す図である。
【図５】理想フォトダイオードからの電流を複製することが意図された電流源及びスイッチの他の構成を示す図である。
【図６】入力コードと非線形の関係で電流を生成するように構成されたデジタル−アナログ変換器を示す図である。
【図７】入力コードと非線形の関係で電流を生成するように構成された他のデジタル−アナログ変換器を示す図である。
【図８】同等の抵抗素子を選択して消光比のための所望の非線形応答を生成する方法の例を示す表である。
【図９】線形形態におけるＥＲに対応する入力コードの関数として、デジタル−アナログ変換器からの正規化出力電流のプロットを示すグラフである。
【図１０】モニターチャネルのための例示的キャパシタンス測定構造を使用した、達成された複製電流におけるＥＲ、及び理想的事例からのデシベル単位の誤差をプロットして示すグラフである。
【発明を実施するための形態】
【００３５】
実施形態の説明は制限的な意味で解釈してはならず、単に本発明の実施形態の一般的な原理を説明する目的でなされているにすぎない。例えば使用されている抵抗器の数は、このデジタル−アナログ（ＤＡＣ）アーキテクチャにおける残留誤差に対する異なる仕様に合致するために変更することができる。さらに、このタイプのＤＡＣは、非線形ＤＡＣが望ましい光通信には無関係のいくつかの目的のために配置することができ、コードと出力電流の間の全く異なるタイプの関係を使用して構成することができる。このタイプのＤＡＣは、出力関数が単調ではないように構成することができる。
【００３６】
図１は、光通信システムに使用される場合の典型的なレーザダイオードの特性の概略図である。変調光信号を生成するために使用される場合、レーザダイオードを通って流れる電流は、最小電流１０８がレーザに対する閾値１２１を超えると共に、最大電流１０９がデバイスの製造者の定格を下回るように変調される。レーザダイオードが冷えているとき、或いは電流レベルが比較的低いときには、単純な線形モデル１０１で十分である。しかしながら、レーザダイオードが熱くなると、或いはレーザダイオードの特性が経年変化すると、閾値電流が変化１２２することがあり、関係は、より湾曲した形状１０２を示す。したがって、最小電流１１０及び最大電流１１１は、いずれも、動作中に所望の平均光出力１０５及び所望のＥＲを維持するように大きくしなければならない。システムの寿命の間、このような制御を維持することは容易な作業ではない。
【００３７】
任意の所与の実際的なシステムにおいて、最大電流は、信頼性の高い通信を確立するために必要な信号レベルに関して、レーザの平均動作電力が規定レベルに設定されるように設定することができる。このようなシステムにおける臨界パラメータは、最小光出力に対する最大光出力の比率であり、この比率は、通常、消光比（ＥＲ）と呼ばれ、受信機の信号レベル対雑音レベルに影響を及ぼす。ＥＲは、最小レーザダイオード電流値及び最大レーザダイオード電流値の関数であり、単純な線形関係として表現されることもあるが、実際にはこれは正確な表現ではない。
【００３８】
図２は、光通信システムのために適した送信機の典型的な構造を示したものである。レーザダイオード２０１には、定常要素及び可変要素を有する電流が供給される。これは、光最大値及び光最小値を生成するために電流を加算及び除算する双方向変調電流を有する平均電流の形態であってもよく、別法としては、変調データ入力２１１における論理的ローレベルを示すために切換え機能２１０によって断路され、或いは論理的ハイ値を示すために電流２２１に加えるよう、前記切換え機能２１０によって接続される変調電流２２２を有するより小さい定常バイアス電流２２１が存在してもよい。図２には後者の変形が示されている。これらの電流２２１，２２２は、コントローラ２１４によって設定される各デジタル値２０８，２０９によって制御される電流出力を個々に有するデジタル−アナログ変換器２０６，２０７によって提供することができる。
【００３９】
レーザダイオード２０１の光出力は、モニターフォトダイオード２０２によって検知され、検知された光レベルに比例する電流が生成され、この電流は、トランスインピーダンス増幅器２０３で電圧２０５に変換することができる。モニターダイオード２０２とトランスインピーダンス増幅器２０３の組合せは、通常、主データチャネル帯域幅の帯域幅よりも実質的に小さい帯域幅を有する。このモニター値である電圧２０５は、アナログ−デジタル変換器２０４によってデジタル形態２１３に変換することができ、これらのデータはコントローラ２１４によって使用され、いくつかの機構によってレーザダイオード電流レベル（この例では２２１，２２２）を設定することができる。モニターチャネルの帯域幅制限は、光信号のピーク値及びトラフ値の可観測性を限定するため、あらゆる送信光レベル制御機構の実施態様において極めて重要である。
【００４０】
図３は、光送信機システムのための例示的構造を示したものであり、複製信号経路が平均電力及び変調ＥＲの両方を設定し、維持することができる制御ループを生成するために比較基準を提供すべく使用される。この例では、レーザ２０１からの光出力がフォトダイオード２０２によってモニターされ、フォトダイオード２０２の電流がトランスインピーダンス増幅器（ＴＩＡ）２０３によって電圧に変換される。コスト及び電力の理由により、この増幅器２０３とフォトダイオード２０２の組合せの帯域幅は、通常、送信される光信号のシンボルレートよりはるかに狭い。前記ＴＩＡ２０３の出力２０５は、何らかの方法の信号処理３０２に引き渡され、平均、ピーク−ピーク又は標準偏差などの制御ループのために有用であるモニター信号の少なくとも１つの特徴が抽出される。この信号処理機能は、例えばフィルタ、ピーク検出器及び二乗平均平方根検出器などの一般的な機能の１つ又は組合せであってもよい。次に、前記信号処理機能の出力３０４は、レーザダイオードのバイアス電流設定３０８及び変調ＥＲ電流設定３０９のための制御信号を生成するために比較機能３０６に引き渡される。モニターダイオードから予想される平均電流を設定又は制御し、可変電流シンク又はソースによって、或いは電流ＤＡＣ３１０によってこれをＴＩＡ２０３の入力から抽出することは一般的である。これには、ＴＩＡ２０３には、潜在的に極めて広い範囲の値を有するＤＣ成分を取り扱う必要がないという利点がある。前記ＤＡＣ３１０を制御する機能３１１は、ユーザアプリケーションによって直接制御されても、又は帰還コントローラ３０６を介して間接的に制御されてもよい。
【００４１】
上述した帰還経路がシステムユーザの要求事項に合致する平均値及びＥＲ値を設定することができるようにするために、なんらかの形態の基準値を帰還ループに明確に、或いは暗黙的に含めることができる。図３では、比較機能３０６に必要な基準は、複製信号チャネルの出力３０５によって提供される。この複製チャネルへの入力は、シンボルレート以上の広い周波数応答帯域幅を有するフォトダイオードによって生成される理想的な電流を表す電流３１９である。この複製電流は、平均電流を含むように構成することができ、又はＤＡＣ３１０の使用によって例示されている方法でフォトダイオードからの平均電流の除去を考慮するように計算及び構成することができる。後者の場合、複製回路及びモニター回路の設計及び構築が容易になる。
【００４２】
入力データストリーム２１１は複製変調器回路３１５に加えられ、複製変調器回路３１５は、そのもう一方の入力をバイアス電流と結合される変調電流３１４の形態を取るか、或いは別法として平均電流及び変調電流として取るかのいずれかである。この例では前者の構造が示されている。この変調電流３１６は、モニターフォトダイオードＴＩＡ２０３の複製であるＴＩＡ３０１に引き渡される。さらに、この複製増幅器３０１の利得及び帯域幅は、それらをモニターチャネルの利得及び帯域幅と実質的に同一になるように構成することができる。次に、前記複製ＴＩＡの出力は、モニターチャネルにおける信号処理機能３０２と全く同一である信号処理機能３０３に引き渡される。この方法によれば、複製チャネル変調器からの電流がモニターフォトダイオードからの電流（この電流は上記方法で除去されたＤＣ成分を有することができる）と同じである場合、複製チャネル出力３０５は、モニターチャネルからの出力３０４と実質的に同じ出力になる。したがって比較機能３０６は、これらの２つの信号間の差を使用して、レーザの平均電力及び変調ＥＲを修正し、制御するために必要な帰還信号を生成することができる。
【００４３】
制御機能３０７は、これらの差信号を使用して、送信レーザバイアス電流２２１及び変調電流２２２を設定するＤＡＣ２０７，２０６のための必要な設定３０９，３０８を決定する。
【００４４】
このようなシステムのために必要な複製バイアス電流及び変調電流が生成され、制御される方法は、本発明のいくつかの実施形態によって対処される問題である。電流値は、ユーザに期待される入力変数と非線形の関係を有している。さらに、所望のバイアス及び変調が複製ＴＩＡへの入力に出現するようにこれらの電流を生成し、それらを結合するためのいくつかのオプションが存在している。図４は、１つの可能な構成の表現を示したものである。モニターＴＩＡ２０３が何らかの有用なＤＣ成分を引き渡す必要がないよう、モニターフォトダイオード２０２からの平均電流を除去するために構成された電流シンク４０１を使用したモニターＴＩＡ２０３が示されている。同じ入力電流を複製するために、複製ＴＩＡ３０１は、複製変調器スイッチ４０５を使用して構成された電流源とシンクの組合せを有している。
【００４５】
モニターチャネルの平均電流シンク４０１の値と実質的に同じ値を有する複製電流シンク４０４が提供されている。この平均値の所望の変調を生成するために、固定電流源４０３を追加すると共に、入力データストリーム２１１によって制御される方法で、別の電流源４０２に切り替えてもよい。電流源４０２，４０３の値は、ユーザによって要求される平均電流４０４ＩＡＶＥ及びＥＲの関数であり、したがって、ある範囲の値を取ることになる。電流源４０３及びシンク４０４からの電流が接続されると、結果として得られる入力電流は依然として正味のシンク値であり、電流波形における最小トラフを表す。複製変調器スイッチ４０５への有効データの印加によって電流源４０２も接続されると、正味の電流は、電流波形における最大ピークを表す電流源になる。電流源４０２，４０３は、平均電流及び必要なＥＲに応じて、ピーク値及びトラフ値が平均に対して実質的に対称になるように構成することができる。この構造を使用する欠点は、電流源４０３からの電流の範囲が極めて広くなり得ることである。例えば３〜２８までの線形範囲（約５ｄＢ〜１４ｄＢを表す）をカバーすることがＥＲに要求される場合、電流は、非線形増分ステップで１：７．５の最小対最大比率を有していなければならない。平均電流値が固定される場合、これはそれほど困難なエンジニアリングタスクではない。しかしながら、実際のアプリケーションでは平均電流ＩＡＶＥは１０年以上にわたって変化することがあり、したがってＥＲに関連する電流４０２，４０３は、比例してスケーリングしなければならない。このような状況は、電流源４０３の設計にとりわけ重大な課題を課すことになる。
【００４６】
図５は、上述のシステムにおける複製チャネルに適した電流を生成するための代替構成を示したものである。固定シンク電流４０４を必要なＥＲにも依存する電流シンク５０２に置き換えることにより、ＥＲの関数としての最小対最大比率が著しく小さくなる。例として既に使用したＥＲ範囲と同じＥＲ範囲を取ると、比率はたったの１：１．８７であり、設計作業がはるかに容易になる。必要であるのは単一の変調器スイッチ５０９であり、また、必要であるのは、シンク５０２と同様の最小対最大比率を有する可変電流源５０１のみである。構成における他の変形形態では、電流源５０３及びシンク５０４が同じ値を有するように構成されると、データストリーム２１１，５０５の相補バージョンによって制御される２つの相補複製変調器スイッチ５０６，５０７を使用するコストで、ある程度の電力を節約することができる。この構造を使用することは、電流複写構造に続いて単一のマスターソースを使用することができるため便利である。
【００４７】
いくつかの実施形態の目的は、上述の送信光信号の平均及びＥＲを、集積回路技術の設計及びコンパクト化に適し、製造誤差の公差に関するロバスト性能を有する便利な方法で設定し、制御するために必要な基準電流を生成することができることである。上記の必要な電流を生成する方法は、入力及び出力分岐における異なるトランジスタサイズを有する電流ミラーの使用である。しかしながら、正確な比率を実現するためには、デバイスサイズがある分母の最小公倍数の倍数である必要があり、極めて多数の単位サイズデバイスが必要となることは当業者には明らかであろう。所望の電流比率を実現するためにデバイスサイズが直接スケーリングされると、単純な幾何構造デバイススケーリングによって生じる誤差が明らかになる。
【００４８】
本発明のいくつかの実施形態では、電流スケーリング機能は、増幅器及び少なくとも１つのトランジスタを備えた帰還構造を有する、等しい値の抵抗の少なくとも２つの列を構成することによって達成される。
【００４９】
図６は、実施形態を例証する例示的構成を示したものである。抵抗器アレイ６０２は等しいサイズの複数の抵抗器６０４，６０５等から構成される。これは、極めて高い精度を提供するために必要な集積回路において、素子の物理的寸法をスケーリングするよりも、むしろ所与のサイズの電子素子を使用し、これらを組み合わせることが好ましいため、製造の観点から有利である。個々の抵抗器は、同じ物理的サイズ及びレイアウトを有してもよく、また、よく知られている技法を使用して優れた均一性を実現することができる。抵抗器アレイにおける素子の数は、後述する方法に従って選択される前記電流スケーリング機能に対する性能仕様に応じた設計選択の問題である。抵抗素子間の接続の要素間接続は、スイッチ６０６，６０７等によって構築することができる。電流は、基準入力電流６０１から接続点のうちの１つに供給することができる。即ち、いつでもスイッチ６０６のうちの１つのスイッチのみが接続する。この電流は、いくつかの抵抗を通って回路内の基準電圧ノード、一般的には接地ノードへ流れ、注入された基準電流及び接地までの総抵抗に比例する電圧が選択された接続ノードに生成されることになる。基準入力電流６０１が注入される接続ノードでは、対応するスイッチが閉じられ、このノードを高利得増幅器６２１の入力６２２に接続する。この増幅器６２１の入力６２２は、該増幅器の入力に接続しているスイッチを通って流れる電流が無視し得る小さい電圧降下を生成するよう、極めて大きい抵抗を有することができる。この方法によれば、増幅器６２１の入力６２２は、抵抗器アレイに生成される電圧を無視し得る誤差で検知する。
【００５０】
図６には、第１の抵抗器アレイ６０２と同様に、夫々同じ電気的特性及び物理的特性を有する等しいサイズの複数の抵抗器からなる第２の抵抗器アレイ６０３が示されている。このアレイの抵抗素子の数は、電流スケーリング機能に対する仕様に応じて、第１のアレイの抵抗素子の数と同じであっても、或いは異なっていてもよい。これらの抵抗素子間の接続ノードでは、第２の入力６２３を複数のスイッチ６０８のうちの１つのスイッチを介して前記増幅器６２１に接続することが可能である。前記第２の入力６２３が接続される同じノードでは、対応するスイッチ６０９は、電流源として構成された少なくとも１つのトランジスタに接続することができる。図６では、前記電流源は、電流を制御する第１の金属酸化物半導体（ＭＯＳ）トランジスタ６３１、及び当業者によく知られている方法で出力抵抗を大きくするカスコードとして作用する第２のＭＯＳトランジスタ６３３からなっている。他の電流源構成も当業者には同じく明らかであろう。第１及び第２のＭＯＳトランジスタ６３１，６３３を備えた前記電流源は、帰還ループが設けられ、それにより前記増幅器６２１の入力６２２及び６２３が増幅器の帯域幅による任意の整定時間の後に実質的に同じ電圧で整定するよう、前記増幅器６２１の出力によって制御される。２つのスイッチ６０８，６０９を使用して増幅器６２１の入力６２３及び電流源（第１及び第２のＭＯＳトランジスタ）６３１，６３３を抵抗器アレイ内の一点に接続することにより、前記スイッチの有限抵抗による誤差を除去することができる。
【００５１】
反転入力６２２における電圧は、基準入力電流６０１ＩＲｅｆと、スイッチ６０６のうちの１つのスイッチによって選択されてグランドに接続される、等しい値の直列抵抗器６０２の数とによって設定される。したがって、電流源６３１，６３３からの電流と、スイッチ６０９のうちの１つのスイッチによって選択されてグランドに接続される、等しい値の抵抗器６０３の総抵抗との積は、増幅器の非反転入力６２３に、もう一方の（反転）入力６２２における電圧に等しい電圧をもたらすことになる。したがって、個々の抵抗器の値がＲによって表され、入力側で選択される抵抗器６０２の数がＡであり、出力側の抵抗器６０３の数がＢである場合、出力電流ＩＯｕｔ６２４は、ＩＯｕｔ＝（Ｂ×ＩＲＥＦ）／Ａによって与えられることになる。
【００５２】
電流源６３１，６３３によって提供される電流は、電流出力６２５を提供するためにトランジスタ６３２及びカスコードトランジスタ６３４を備えた少なくとも１つの他の電流源構造によって、必要に応じて何度でも複製することができる。この電流は、抵抗器アレイ６０３に帰還される電流６２４と同じであっても、或いはトランジスタ６３２，６３４の寸法を従来の方法で調整することによってスケール化することも可能である。
【００５３】
基本的なトポロジーの重大な設計課題は、とりわけ必要な比率が何らかの非線形増分進行（non-linear incremental progression）に従う場合に、入力電流と出力電流との間の任意の比率Ｂ／Ａを生成することにある。極めて多数の抵抗を使用して幾らかの整数の共通分母を探したり、或いは個々の抵抗値を調整しようとしたりするのではなく、ルックアップテーブル６１２を使用して、所望の比率を指令する入力データ６１３を変換し、等しい値の抵抗のみを使用して所望の比率に最適適合が実現されるように、入力抵抗器アレイ６０２に対する抵抗選択制御６１０及び出力抵抗器アレイ６０３に対する抵抗選択制御６１１を変換する。上記比率が、極めて大きい抵抗器アレイ対を使用して高い精度で実現することができることは当業者には明らかであろう。本発明では、ルックアップテーブル６１２は、入力抵抗器アレイ６０２及び出力抵抗器アレイ６０３に設けられた抵抗器の数を使用して可能な全ての整数除算比率を探索し、個々の比率を理想的な所望の値と比較し、最適適合を選択することによって作成される。規定された最大許容誤差を使用する場合、各アレイの等しい値の抵抗器の数が仕様に合致するために十分であるかどうかを決定することが可能であり、したがって、抵抗器アレイに素子をもっと追加しなければならないかどうかを決定することが可能である。抵抗素子を選択するこの方法は、分析的表現ではなく、探索によって得られた各所望の比率の各選択に従う。等しい値の抵抗器の数のいくつかの比率を選択する場合、２つの小さな整数の比率が最小の誤差を提供することができる。この場合、名目上は等しい値の抵抗器間の製造公差に起因するさらなる誤差は、実現できる単位値抵抗器の最大公倍数を利用可能なアレイ内から選択することによって小さくすることができる。
【００５４】
図７は、本発明によるいくつかの代替実施形態を示したものである。増幅器６２１への入力の極性を反転して、非反転入力６２３を複数のスイッチ６０７のうちの１つスイッチを介して、基準入力電流６０１を受け取る等しい値の抵抗器アレイ６０２に接続することができ、前記増幅器６２１の反転入力６２２を複数のスイッチ６０８のうちの１つのスイッチを介して、出力電流が引き渡される等しい値の抵抗器アレイ６０３に接続することができるようにしてもよい。前記増幅器６２１の出力６２５は、ＭＯＳトランジスタ７０１のゲートを制御するために使用される。ＭＯＳトランジスタ７０１は、複数のスイッチ６０９のうちの１つのスイッチによって抵抗器アレイ６０３に流入する電流７０２ＩＯｕｔを通過させ、それにより前記抵抗器アレイ６０３内の一点に、負の帰還ループが形成される方法で前記増幅器６２１の非反転入力６２３に伝えられる電圧が生成される。上記ループは、実質的に同じであることが明らかな電圧を増幅器６２１の入力６２２，６２３が有するように整定する。また、この状況において、ＭＯＳトランジスタ７０１を通って流れる電流は、前述のルックアップテーブル６１２によって制御されるスイッチ選択によって決定されるのと同じ比率関係に従う。これらの実施形態では、出力電流は、ソースではなく、シンクとして提供される。
【００５５】
図６及び図７の実施形態は、電源ラインに対して電流が流れる方向を容易に反転させるように反対の極性のＭＯＳトランジスタを使用して修正することができることは当業者に明らかであろう。
【００５６】
図８は、複製信号経路がレーザの制御及び帰還システムに望まれる正しい平均値及びＥＲ値を得るために必要な電流を提供することを意図した計算を提供するルックアップテーブル８０１を例示したものである。この例では、入力抵抗器アレイ６０２は２８個の等しい値の抵抗を有しており、出力抵抗器アレイ６０３は３０個の等しい値の抵抗を有している。所望の線形ＥＲが同じ０．３４ｄＢステップで４．７７ｄＢ〜１４．６ｄＢの範囲である場合、誤差は０．１ｄＢ未満に維持される。
【００５７】
図９は、ルックアップテーブルの個々のステップの関数として、図６などの本発明のいくつかの実施形態を含む回路からの正規化出力電流のプロット９０１を示したものである。
【００５８】
図１０は、ルックアップテーブルの個々のステップの関数として、理想的な複製帰還制御システムで達成されるｄＢ単位の理想的なＥＲのプロット１００１を示したものである。また、図１０には、所望のＥＲと、理想的なレーザ電力及び変調制御システムにおける複製電流５０３，５０４によって得られるＥＲとの間のｄＢ単位の誤差１００２が示されている。
【００５９】
以上、本発明について、特定の例及びその可能な実施形態を参照して説明したが、これらを多少なりとも本発明の範囲を制限するものとして解釈してはならない。多くの他の可能な実施形態、修正及び改良は、特許請求の範囲に示されている本発明の範囲及び精神を逸脱することなく本発明に組む込むことができ、或いは本発明と共に存在し得ることを明確にされたい。
【図１】
0006882513.tif 000002
【図２】
0006882513.tif 000003
【図３】
0006882513.tif 000004
【図４】
0006882513.tif 000005
【図５】
0006882513.tif 000006
【図６】
0006882513.tif 000007
【図７】
0006882513.tif 000008
【図８】
0006882513.tif 000009
【図９】
0006882513.tif 000010
【図１０】
0006882513.tif 000011